(57)【特許請求の範囲】
【請求項１】
舞台の両側の側壁から中央部に向けて夫々パネルを突出させて開口部の幅寸法を調節するホールのプロセニアム可変装置であって、
前記側壁に夫々設けられ上面部にガイドレールを取着するとともに下面部に床面のスリットを貫通して下方へ突出するスライド板を取着したパネルと、
前記側壁に間隔を存して２箇所に配設され前記ガイドレールの両側面に接して前記パネルの傾きを防止するガイドローラーと、
床面の下方に設けられ前記スライド板が挿入される溝部を有する複数のローラーを前記パネルの移動範囲に沿って一直線状に配置し前記パネルを移動させる移送部とを備えたことを特徴とするホールのプロセニアム可変装置。
【発明の詳細な説明】
【０００１】
【発明の属する技術分野】
本発明は、音楽ホール等を演劇等の多目的に使用するため、開口部の寸法を調節するホールのプロセニアム可変装置に関する。
【０００２】
【従来の技術】
演劇を主体とする劇場においては、舞台の前部の位置に天井から下方に向けて仕切り壁が設けられており、仕切り壁の下端部がプロセニアム（開口部）の高さになっている。そして、天井から下げ幕を降ろして開口部の高さを調節し、側面からパネルを出入りさせて、幅寸法を調節している。
パネルには上面部及び下面部に夫々ガイドレールを設け、これらのガイドレールを、仕切り壁及び床面に設けた案内部に連結してパネルを左右に移動させている。
【０００３】
【発明が解決しようとする課題】
然しながら、音楽ホールにおいては、音響効果を重視するため舞台の中央部には前記仕切り壁は設けず、プロセニアム（開口部）の中央部は天井まで開口されている。
近年、劇場やホールは多目的に使用されるようになっており、音楽ホールも各種の演劇用に利用されることが多い。
従って、演劇に応じてプロセニアム（開口部）の大きさを調節することが要求されている。然しながら、音楽ホールの舞台には中央部に仕切り壁が存在しないので、天井までの高さのパネルを設けてプロセニアムの幅寸法を調節することは甚だ不経済である。
そこで、上部に仕切り壁が存在しない場合でもプロセニアムの幅寸法を調節できるプロセニアム可変装置の開発が要望されている。
【０００４】
本発明は、上記の事情に鑑みてなされたもので、その目的は、上部に仕切り壁が存在しない場合でもプロセニアムの幅寸法が調節できるホールのプロセニアム可変装置を提供するにある。
【０００５】
【課題を解決するための手段】
本発明は、舞台の両側の側壁から中央部に向けて夫々パネルを突出させて開口部の幅寸法を調節するホールのプロセニアム可変装置であって、
前記側壁に夫々設けられ上面部にガイドレールを取着するとともに下面部に床面のスリットを貫通して下方へ突出するスライド板を取着したパネルと、
前記側壁に間隔を存して２箇所に配設され前記ガイドレールの両側面に接して前記パネルの傾きを防止するガイドローラーと、
床面の下方に設けられ前記スライド板が挿入される溝部を有する複数のローラーを前記パネルの移動範囲に沿って一直線状に配置し前記パネルを移動させる移送部とを備えたところに特徴を有する。
【０００６】
【発明の実施の形態】
以下、本発明の一実施例につき図面を参照して説明する。
先ず図６において、音楽ホールにおいては、舞台の両側に天井１から下方へ向けて側壁２が設けられ、プロセニアム（以下開口部３と呼ぶ）が形成されている。
この音楽ホールを演劇等に使用するため、開口部３を調節するには、周知の手段により下げ幕或はパネル４を適宜の高さまで降ろして開口部３の高さを調節し、両側からパネル１１を中央部方向へ突出させて開口部３の幅寸法を調節している。
尚、パネル４の下端部はパネル１１の上端部と重なる位置まで下降されている。
【０００７】
パネル１１は、開口部３の両側の高さに対応した大きさを有しており、上面部に断面Ｈ型のガイドレール１２が取付けられている。このガイドレール１２はパネル１１の幅寸法よりも長尺に形成されていて、開口部３の反対側に突出し、補強枠１３でパネル１１の側面に固定されている。
また、パネル１１の下面部には下方に向けて鉛直にスライド板１４が取着されている。このスライド板１４は、床面１５に形成されたスリット１６を貫通して下方へ突出している。
【０００８】
側壁２には間隔をおいた２箇所に支持板２１が設けられている。これら支持板２１には、ガイドレール１２を挟んで２個のガイドローラー２２が対向して設けられている。このガイドローラー２２は、ガイドレール１２の下面に接してパネル１１の重量を支えると共に、鍔部２３がガイドレール１２の側面に接してパネル１１の傾きを防止している。
また、側壁２には、２箇の支持板２１の中間に取付板２４が取着されており、これに減速機付モータ２５が取付けられている。この減速機付モータ２５は軸端にピニオン２６が取付けられており、ガイドレール１２の上面に取着されたラック２７に噛み合っている。
【０００９】
移送部３０は、床面の下方にパネル１１の移動範囲にわたって敷設され、その端部は側壁２の端面から中央側に突出している。
この移送部３０は、取付板３１に回転可能に取付けられた複数のローラー３２からなり、各ローラー３２には、スライド板１４が挿入される溝部３３が形成されている。これらのローラー３２は、パネル１１の移動方向に沿って一直線状に配置され、溝部３３にスライド板１４を挿入した状態でパネル１１を載置し、パネル１１を移動させる。
尚、スリット１６の周縁部にはスライド板１４に接してごみ類の侵入を防止するブラシ（図示せず）が取付けられている。
【００１０】
つぎに開口部３の幅寸法を調節する手順について説明する。
左右のパネル１１が移送部３０の端部まで後退すると、開口部３は最大の幅寸法に形成される。
そこで、減速機付モータ２５を駆動させると、ピニオン２６及びラック２７を介してパネル１１が中央側へ移動される。
【００１１】
この場合、パネル１１のスライド板１４は、ローラー３２の上を転動するので円滑に移動する。また、上部の２個のガイドローラー２２の鍔部２３が、ガイドレール１２の側面に接しているので、パネル１１が常に鉛直状態に支持されている。しかも、パネル１１の重量を、上部のガイドローラー２２と下部のローラー３２の両者で分担するので、パネル１１の移動が円滑に実行される。
また、パネル１１のスライド板１４が溝部３３に挿入されているので、パネル１１の進む方向がぶれることがない。
【００１２】
上記実施例によればつぎの効果を奏する。
１，パネル１１にスライド板１４を設け、ローラー３２の溝部３３に挿入するので、パネル１１の移動が円滑に行われ、しかも、パネル１１の進む方向がぶれることがない。
２，上部のガイドローラー２２がガイドレール１２の側面に接してパネル１１が常に鉛直状態に支持されているので、パネル１１が側壁２から中央部まで突出しても移動が円滑に行われる。
【００１３】
３，パネル１１の高さは、側壁２に応じた寸法にすればよいので、小形化できて経費の節約ができる。
４，床面１５に形成するスリット１６は、スライド板１４に対応した細幅でよいので、パネル１１を使用しない場合でも実用上なんらの障害も発生しない。
【００１４】
尚、上記実施例においては、パネル１１を減速機付モータ２５を駆動させてピニオン２６及びラック２７を介して移動させたが、ワイヤまたはチェンを使用して作動させてもよく、或はスクリュージャッキで直押し式さらには手動で作動させてもよい。
【００１５】
【発明の効果】
本発明は、舞台の両側の側壁から中央部に向けて夫々パネルを突出させて開口部の幅寸法を調節する音楽ホールのプロセニアム可変装置であって、
前記側壁に夫々設けられ上面部にガイドレールを取着するとともに下面部に床面のスリットを貫通して下方へ突出するスライド板を取着したパネルと、
前記側壁に間隔を存して２箇所に配設され前記ガイドレールの両側面に接して前記パネルの傾きを防止するガイドローラーと、
床面の下方に設けられ前記スライド板が挿入される溝部を有する複数のローラーを前記パネルの移動範囲に沿って一直線状に配置し前記パネルを移動させる移送部とを備えたので、側壁から中央部へパネルを突出して円滑に移動させることができ、音楽ホールのプロセニアムを演劇に適した大きさに調節できるという優れた効果を奏するものである。
【図面の簡単な説明】
【図１】  本発明の実施例を示す正面図である。
【図２】  側面図である。
【図３】  図１においてIII-III線から見た図である。
【図４】  図１においてIV-IV線から見た図である。
【図５】  図１においてV-V線から見た図である。
【図６】  音楽ホールの舞台の正面図である。
【符号の説明】
１  天井
２  側壁
３  開口部
１１  パネル
１２  ガイドレール
１４  スライド板
１５  床面
１６  スリット
２２  ガイドローラー
２３  鍔部
３０  移送部
３２  ローラー
３３  溝部
【図１】
0003641713.tif 000002
【図２】
0003641713.tif 000003
【図３】
0003641713.tif 000004
【図４】
0003641713.tif 000005
【図５】
0003641713.tif 000006
【図６】
0003641713.tif 000007